(57)【要約】【課題】複数冊並べられたファイルの間に、新たにファイルを追加して収納するときに、特に、右利きの者に対応して、表表紙と裏表紙との間に追加して収納する間違いを回避することができるようにすること。【解決手段】表紙体１１と、この表紙体１１の端部より突出する位置に設けられた見出し部１２と、表紙体１１の内面側に設けられた綴じ具１３とを備えてファイル１０が構成されている。表紙体１１は、折り曲げ部１６，１６を介して開閉可能に設けられた表表紙１８及び裏表紙１９を含んで構成されている。表紙体１１を閉じた状態で、見出し部１２が手前側に位置するように折り曲げ部１６を載置面Ｍに接する起立姿勢としたときに、表表紙１８の手前側端部に見出し部１２が設けられている。【選択図】　　　図１
2004050781.tif 000002
【特許請求の範囲】
【請求項１】
折り曲げ部を介して開閉可能に設けられた表表紙及び裏表紙を含む表紙体と、この表紙体の端部より突出する位置に設けられた見出し部とを備えたファイルにおいて、
前記表紙体を閉じた状態で、見出し部が手前側に位置するように折り曲げ部を載置面に接する起立姿勢としたときに、表表紙の手前側端部に前記見出し部が設けられていることを特徴とするファイル。
【請求項２】
折り曲げ部を介して開閉可能に設けられるとともに、見開き状態で左側に位置する表表紙と、右側に位置する裏表紙と含む表紙体を備えたファイルにおいて、
前記表表紙の上端部に、見出し部が設けられていることを特徴とするファイル。
【請求項３】
前記表紙体は、透光性を有する樹脂シートにより構成されていることを特徴とする請求項１又は２記載のファイル。
【発明の詳細な説明】
【０００１】
【発明の属する技術分野】
本発明は、ファイルに係り、更に詳しくは、複数冊並べられたファイル間に収納するときに、収納位置の誤りを防止することができるファイルに関する。
【０００２】
【従来の技術】
図７には、病院用のカルテ等を綴じ込み可能なファイルが示されている。同図において、ファイル５０は、開閉可能な表表紙５１及び裏表紙５２を含む表紙体５３と、当該表紙体５３の内面側に設けられた綴じ具５４とを備えて構成されており、比較的フラットに折り畳みできるように設けられている。このようなファイル５０は、多くの患者のカルテを一括して管理する性質上、キャビネットＣ（図８参照）に同一のファイル５０を複数冊並べて収納する利用態様が一般的である。この一方、ファイル５０が多数冊となり、各ファイル５０の外面が相互に密着して収納されたとしても、ファイル５０の出し入れ作業を容易に行えるようにする要請もある。そこで、このような要請に応えるべく、表紙体５３の見開き状態で裏表紙５２の上端側に突出する見出し部５５を設ける構成が併用されている。このようなファイル５０をキャビネットＣに収納する場合、見出し部５５を見易いようにするため、当該見出し部５５が手前側に位置するように、表裏各表紙５１，５２の間に位置する折り返し部５６を棚板Ｃ１等の上に乗せ、表紙体５３を起立姿勢として収納される。
【０００３】
ところで、一般に、利き手は右手である者が圧倒的に多いため、キャビネットＣ内へのファイル５０の出し入れは右手で行われることが通常である。従って、キャビネットＣ内に複数冊並べられたファイル５０の間に、新たにファイル５０を追加して収納する場合、収納位置となるファイル５０間に左手を差し込んで収納隙間を空け、当該収納隙間に、右手に持ったファイル５０を収納することとなる。
【０００４】
【発明が解決しようとする課題】
しかしながら、このようなファイル５０にあっては、前記収納隙間を空けるときに、図８に示されるように、表表紙５１と裏表紙５２との間に左手を差し込む傾向が強い。これは、左手を差し込む際に、先ず、指先で見出し部５５を捲った後、当該見出し部５５を伝って裏表紙５２の内面側に左手をあてがうことに起因する。これにより、左手で表表紙５１と裏表紙５２とを開き、これらの間に新たに収納するファイル５０が誤って収納され易くなるため、ファイル５０の収納作業が極めて煩雑になるという不都合を生じる。特に、ファイル５０を押し詰めるように収納し、各ファイル５０の表紙体５３外面が相互に密着する場合には、表表紙５１と裏表紙５２とを区別し難くなるため、かかる不都合が顕出することとなる。
【０００５】
【発明の目的】
本発明は、このような不都合に着目して案出されたものであり、その目的は、複数冊並べられたファイルの間に、新たにファイルを追加して収納するときに、特に、右利きの者に対応して、表表紙と裏表紙との間に収納してしまう間違いを防止することができるファイルを提供することにある。
【０００６】
【課題を解決するための手段】
前記目的を達成するため、本発明は、折り曲げ部を介して開閉可能に設けられた表表紙及び裏表紙を含む表紙体と、この表紙体の端部より突出する位置に設けられた見出し部とを備えたファイルにおいて、
前記表紙体を閉じた状態で、見出し部が手前側に位置するように折り曲げ部を載置面に接する起立姿勢としたときに、表表紙の手前側端部に前記見出し部が設けられる、という構成を採っている。このような構成によれば、前述した起立姿勢で複数冊並べられたファイルの間に、新たにファイルを追加して収納する場合、左手で収納位置となるファイル間にスペースを形成する作業を容易且つ確実に行うことができる。つまり、左手をファイル間に差し込むときに、左手の指先で見出し部を捲った後、当該見出し部の外面を伝って表表紙の外面側に左手をスムースにあてがうことができる。これにより、従来のように表表紙と裏表紙との間に左手を差し込んでしまうことを防止することができ、収納位置の間違いを排除することが可能となる。
【０００７】
また、本発明は、折り曲げ部を介して開閉可能に設けられるとともに、見開き状態で左側に位置する表表紙と、右側に位置する裏表紙と含む表紙体を備えたファイルにおいて、
前記表表紙の上端部に、見出し部が設けられる、という構成を採用することができ、これによっても、前述と同様にして表表紙と裏表紙との間に別のファイルを収納する間違いを回避することができる。
【０００８】
【発明の実施の形態】
本発明において、前記表紙体は、透光性を有する樹脂シートにより構成される、という構成を採ることが好ましい。このような構成によれば、見出し部が表表紙の手前側端部すなわち上端部より突出する位置に設けられるので、表紙体を閉じた状態で、見出し部と綴じ込まれた書類の先頭頁の上方領域とを接近した位置で同時に視認することができる。これにより、綴じ具にカルテ等を綴じ込んだ場合、キャビネット等に収納された状態から表紙体の上方領域を部分的に引き出すだけで、見出し部に記入された記号等とカルテの上方領域に記載された患者名等との照合を容易且つ迅速に行うことができ、カルテの管理作業をスムースに行うことが可能となる。
【０００９】
なお、本明細書における方向若しくは位置的用語は、特に明示しない限り、図２を基準として用いるものとする。
【００１０】
【実施例】
以下、本発明の実施例を図面を参照しながら説明する。
【００１１】
図１には、本実施例に係るファイルの表紙体を開放した状態の概略斜視図が示され、図２には、図１の平面図が示されている。これらの図において、ファイル１０は、開閉可能に設けられた表紙体１１と、この表紙体１１の端部より外側に突出する位置に設けられた見出し部１２と、表紙体１１の内面側に設けられた綴じ具１３とを備えて構成されている。
【００１２】
前記表紙体１１は、図３に示されるように、本実施例では、ポリプロピレン等の透光性を有する一枚の樹脂シートＳにより構成されている。この表紙体１１は、シートＳの中央部を折り返し位置ａにて二枚厚に折り畳んで設けられた折り込み部１５と、折り返し位置ａの左右両側に位置する折れ線ｂ，ｃにより形成された折り曲げ部１６，１６と、これら折り曲げ部１６，１６を介して折り込み部１５に連なる表表紙１８及び裏表紙１９とを備えて構成されている。表表紙１８及び裏表紙１９は、折り曲げ部１６，１６を屈曲させることにより開閉可能となっている。
【００１３】
前記折り込み部１５は、折り返し位置ａより表表紙１８側に位置する表面部２０と、この表面部２０に連なるとともに、折り返し位置ａより裏表紙１９側に位置する裏面部２１とにより構成されている。表面部２０及び裏面部２１は、その上下両端側における折り曲げ部１６，１６に沿う位置すなわち溶着位置ｄで溶着されており、これにより、折り込み部１５の折り畳み姿勢を維持できるようになっている。また、折り込み部１５の面内上下二箇所位置には、綴じ具１３を保持するための貫通穴２２，２２がそれぞれ設けられている。
【００１４】
前記裏表紙１９は、図２に示されるように、内面側における上下方向中央より下方領域に形成されたポケット２４を備えており、このポケット２４は、図２中左側縁と上端縁とを開放する二縁開放型に設けられている。ポケット２４は、図３に示されるように、シートＳにおける裏表紙１９の自由端（図３中右端）に沿う位置すなわち折り返し位置ｅにて折り畳み、裏表紙１９の下端部１９Ａに沿う溶着位置ｆで相互に溶着することにより構成されている。また、ポケット２４は、図２中右下領域に下端部１９Ａと略平行に延びるスロット２５を備えており、このスロット２５は、診察券や名刺等の紙葉片Ｐを挿入可能な左右幅に設定されている。この際、スロット２５の形成位置は、本実施例では、診察券等を挿し込んだときに、その上部がポケット２４の面外に露出する位置に設定されている。なお、スロット２５に代えてスリットとしてもよい。
【００１５】
前記見出し部１２は、平面視横長の略長方形状に設けられ、図２に示される表紙体１１の見開き状態で表表紙１８の略左半部の上端部１８Ａより上方に突出する位置に設けられている。見出し部１２は、図３に示されるように、シートＳの左上コーナー部分から上方にはみ出した領域内において、上端部１８Ａと略平行に延びる折り返し位置ｆで折り返した後、図２に示されるように、上端部１８Ａに沿う横向きＬ字状をなす溶着位置ｇで溶着することにより構成され、同図中左側を出し入れ口１２Ａとするポケット状に設けられている。これにより、出し入れ口１２Ａから見出し部１２内に、図示しない所定の見出し片等を収容することができ、当該見出し片に色を施したり、記号を記入したりすることで、ファイル１０の分別整理を容易に行えるようになっている。なお、見出し部１２は、左右に開通するように溶着してもよい。
【００１６】
前記綴じ具１３は、本実施例では、例えば、鋼板やアルミ等の薄板状の金属板により構成されており、指先の力で屈曲変形可能に設けられ、且つ、変形後の形状を意図的な外力を付与しない限り維持可能に設けられている。綴じ具１３は、二つの綴じ穴Ｋ１を備えたカルテ等の書類Ｋを綴じ込み可能設けられている。具体的には、表面部２０の面に沿う位置に設けられて各貫通穴２２，２２間に延びる長片状のベース２７と、このベース２７の上下（長手方向）両端部に連なるとともに、各貫通穴２２，２２内を通過して裏面部２１に沿うように位置する一対の綴じ足２８，２８とを備えて構成されている。
【００１７】
以上の構成において、綴じ具１３に書類Ｋを綴じ込む場合、図１に示される状態から綴じ足２８，２８の基端側を屈曲させた後、綴じ穴Ｋ１，Ｋ１に綴じ足２８，２８を挿通させる。この後、各綴じ足２８，２８を外向きに倒伏することにより、裏面部２１と各綴じ足２８，２８との間に書類Ｋが挟持されることとなる。ここで、複数枚の書類Ｋを綴じ込むときに、各書類Ｋの表面を表表紙１８側に向けて綴じ込むことにより、最初に綴じ込んだ書類Ｋの表面が常に先頭頁に位置するようになる。
【００１８】
図４に示されるように、ファイル１０をキャビネットＣに収納する場合、表紙体１１を閉じた後、表表紙１８の上端部１８Ａ及び見出し部１２が手前側に位置し、且つ、各折り曲げ部１６，１６が棚板の載置面Ｍに接するように表紙体１１を起立姿勢とする。このような姿勢で、複数冊のファイル１０における各表紙体１１の外面が相互に面接触するように並べて収納することにより、各見出し部１２が横並びに揃った状態となる。
【００１９】
この一方、複数冊並べられたファイル１０の間に、一冊のファイル１０を追加して収納する場合、先ず、図５に示されるように、左手を収納位置となるファイル１０間に差し込む。この際、最初に左手の指先で見出し部１２を捲った後、当該見出し部１２を伝って左手が表表紙１８の外面側をあてがうこととなる。この状態で、左手で収納位置より図５中左側のファイル１０を押し詰めて、ファイル１０間に収納スペースＡを形成する。そして、追加収納するファイル１０を右手で持ち、前記収納スペースＡ内にファイル１０を差し込むことにより、ファイル１０が所望の位置に収納される。
【００２０】
従って、このような実施例によれば、見出し部１２を表表紙１８の手前側に突出する位置に設けたので、複数冊並べられたファイル１０の各見出し部１２を左手の指先でパラパラ捲りながら収納位置を探し当てた後、左手をファイル１０間にスムースに差し込むことができる。
【００２１】
また、透光性を有するシートＳにより表紙体１１を構成したから、図６に示されるように、表紙体１１を閉じたときに、表表紙１８を通じて書類Ｋの先頭頁を視認することができる。これにより、カルテ等を綴じ込んだ場合には、図５に示されるように、表紙体１１の全てを取り出すことなく表紙体１１の上方領域が部分的にはみ出た状態で、見出し部１２に記入された記号等とカルテの記載内容とを容易に照合することが可能となる。
【００２２】
なお、本発明における綴じ具１３は、前記実施例に示される構成に限定されるものでなく、必要に応じて他の構成となる綴じ具を用いてもよい。
【００２３】
【発明の効果】
以上説明したように、本発明は、表紙体を閉じた状態で、見出し部が手前側に位置するように折り曲げ部を載置面に接する起立姿勢としたときに、表表紙の手前側端部に見出し部を設けた構成、或いは、表表紙の上端部に見出し部を設けた構成を採用したから、複数冊並べられたファイルの間に、新たにファイルを追加して収納するときに、左手が表表紙と裏表紙の間に差し込まれることを防止することができる。つまり、左手の指先で見出し部を捲り、その後、見出し部を伝って表表紙の外面側に左手が位置するので、ファイルの間に収納スペースを空ける作業をスムースに行うことができ、ひいては、表表紙と裏表紙の間に新たに追加収納するファイルを差し込む間違いを回避することが可能となる。
【００２４】
また、透光性を有する樹脂シートにより表紙体を構成した場合には、綴じ込まれた書類を表紙体を通じて視認することができる。これにより、複数冊並べられたファイルの表紙体を部分的に取り出すだけで、書類の記載内容等を見出し部と同時に確認することが可能となる。
【図面の簡単な説明】
【図１】実施例に係るファイルの表紙体を開放した状態の概略斜視図。
【図２】図１の平面図。
【図３】前記表紙体の展開図。
【図４】前記ファイルをキャビネットに収納した状態を示す概略斜視図。
【図５】前記ファイルをキャビネットに収納する状態を示す説明図。
【図６】前記ファイルの表紙体を閉じた状態の平面図。
【図７】従来例に係るファイルの平面図。
【図８】図７のファイルをキャビネットに収納した状態を示す概略斜視図。
【符号の説明】
１０　ファイル
１１　表紙体
１２　見出し部
１３　綴じ具
１６　折り曲げ部
１８　表表紙
１８Ａ　上端部
１９　裏表紙
【図１】
2004050781.tif 000003
【図２】
2004050781.tif 000004
【図３】
2004050781.tif 000005
【図４】
2004050781.tif 000006
【図５】
2004050781.tif 000007
【図６】
2004050781.tif 000008
【図７】
2004050781.tif 000009
【図８】
2004050781.tif 000010